(57)【要約】【課題】  製造が容易で、カードの浮き上がりを防止してパッドとコンタクトとの接触を良好なものとするカードの誤挿入防止機構を設けたカードコネクタを提供する。【解決手段】  複数のコンタクトを有するベース部と、該ベース部に組合せられる板金カバーとから形成されるカードコネクタであって、挿入されるカードのパッドが前記板金カバーに対向するように挿入されるカードコネクタにおいて、前記板金カバーは、コンタクトの接触弾性条片部に対応して開口部を有する平板状のカバー本体と、該カバー本体の両側を折り曲げて成る側壁とを有し、かつ突起がカード挿入空間に向けて形成されている。【選択図】          図４
2005135928.tif 000002
【特許請求の範囲】
【請求項１】
複数のコンタクトを有するベース部と、該ベース部に組み合せられる板金カバーとから形成されるカードコネクタであって、挿入されるカードのパッドが前記板金カバーに対向するように挿入されるカードコネクタにおいて、
前記板金カバーは、コンタクトの接触弾性条片部に対応して開口部を有する平板状のカバー本体と、該カバー本体の両側を折り曲げて成る側壁とを有し、かつ突起がカード挿入空間に向けて形成されていることを特徴とするカードコネクタ。
【請求項２】
前記突起が複数あることを特徴とする請求項１記載のカードコネクタ。
【請求項３】
前記突起は、前記カバー本体に設けられた開口部の側部に形成されていることを特徴とする請求項１または２記載のカードコネクタ。
【請求項４】
前記突起は、カードのグランドパッド部分の位置に形成されていることを特徴とする請求項１乃至３のいずれか１項記載のカードコネクタ。
【発明の詳細な説明】
【技術分野】
【０００１】
本発明は、携帯電話機や電話機、ＰＤＡ（personal  digital  assistance）、携帯型オーディオ、カメラ等の電子機器や情報端末機器等に取付けられるカードコネクタに係わるもので、特に、ＩＣカードやＳＤカード等のカードが挿入されるように用いられるカードコネクタに関するものである。
【背景技術】
【０００２】
近年、携帯電話機や電話機、ＰＤＡ（personal  digital  assistance）、携帯型オーディオ、カメラ等の電子機器や情報端末機器等においては、ＩＣチップと呼ばれるＩＣ部品が組込まれたＩＣカードやＳＤカード等のカードの利用が非常に増大し、このようなＩＣカードやＳＤカード等のカードを挿入するカードコネクタが広く求められている。
【０００３】
また、従来のこのようなカードコネクタにおいて、市場の一般的な要求としてカードコネクタの高さを低くして低背化を図ると共に、十分な強度を有したカードコネクタが求められている。このような要求された強度を達成するために、上面に板金カバーを有し、このような板金カバーをベース部に対して組込むことによってカードコネクタが構成されている。そのためにカードコネクタの低背化と、カードの捩じれに耐え得る強度が求められており、この要求を達成するためにカードコネクタの上面部分に板金を使用している。
【０００４】
さらに、挿入されるカードの後ろ差しなどの誤挿入により、カードコネクタ、特にカードと接触するコンタクトを傷めることの無いような工夫が要求されている。例えば、特許文献１に示されるように、挿入されるカードの前方に設けられた切欠を利用してカードの誤挿入を防止する誤挿入防止機構が知られている。
【０００５】
【特許文献１】特開２００１−１３５３８５号公報
【発明の開示】
【発明が解決しようとする課題】
【０００６】
しかしながら、このようなカードコネクタの誤挿入防止機構は、構造は簡単であるが、まさにカードの誤挿入を防止するのみであり、カードの外部接点であるパッドと接触するコンタクトとの接触には何ら寄与しないものである。
【０００７】
従って、本発明の目的は、カードコネクタの補強及び低背化を図るべく適用される板金カバーを利用して、また、挿入されるカードの構造を利用して、製造が容易で、カードの浮き上がりを防止してパッドとコンタクトとの接触を良好なものとするカードの誤挿入防止機構を設けたカードコネクタを提供することにある。
【課題を解決するための手段】
【０００８】
上記目的を達成するため、本願発明のカードコネクタは、複数のコンタクトを有するベース部と、該ベース部に組合せられる板金カバーとから形成されるカードコネクタであって、挿入されるカードのパッドが前記板金カバーに対向するように挿入されるカードコネクタにおいて、前記板金カバーは、コンタクトの接触弾性条片部に対応して開口部を有する平板状のカバー本体と、該カバー本体の両側を折り曲げて成る側壁とを有し、かつ突起がカード挿入空間に向けて形成されていることを特徴とする。
【０００９】
また、前記突起は複数設けられるとともに、前記カバー本体に設けられた開口部の側部に形成されていることが好ましく、該突起は、カードのグランドパッド部分の位置に形成されていることがさらに好ましい。
【発明の効果】
【００１０】
本願発明は上記の構成を備えることにより、コンタクト５の接触弾性条片部５ａを座屈しないように保護すると共に、ショートの発生を無くし、かつカードの後ろ差しのような誤挿入を確実に防止することができる。さらに、本発明におけるカードコネクタ１が、絶縁材料のベース部２に、金属薄板材料で作られた板金カバー３を組合せて形成されることによって、カードコネクタ１自体の厚さを薄くして低背化を図り、かつ補強することができる。
【発明を実施するための最良の形態】
【００１１】
（実施例）
図１乃至図７は、本発明のカードコネクタの一実施例を示す図で、図１は、本発明のカードコネクタを示す斜視図、図２は、図１の本発明のカードコネクタを反転して示す斜視図で、図３は、図１の本発明のカードコネクタを、ベース部と板金カバーとを分解して示す斜視図、図４は、図３のベース部と板金カバーとに分解された本発明のカードコネクタを反転して示す斜視図で、図５は、図３の本発明のカードコネクタのベース部と板金カバーとを組合せる際のコネクタ端子部分の部分斜視図、図６は、本発明のカードコネクタにプリント基板を装着する前の状態を示す斜視図で、図７は、図６の本発明のカードコネクトにプリント基板を装着した状態を示す斜視図である。
【００１２】
図１乃至図５に示されるように、本発明のカードコネクタ１は、ベース部２と、このベース部２に組合せられる板金カバー３とによって偏平なハウジング形状に構成されていて、一方の側は開放されていてカード挿入口１１が形成されており、他方の側は閉鎖されていてＩＣカードやＳＤカード等のカード（特許文献１参照）と電気的な接続をなす複数個のコンタクト５が設けられている。
【００１３】
このような本発明のカードコネクタ１に用いられるＩＣカードやＳＤカード等のカードは、一般のカードと同様に、挿入側の先端部分に複数個の外部接点としてのパッド部が整列して設けられており、該パッド部は、カードの表面より一段低く形成されている。さらに、これらのカードは、必要に応じて一方の角部に面取り部が設けられると共に、両側の側面に段差が付けられていて、これら段差部分がカードコネクタ１の両側の案内溝８にそれぞれ嵌合されてカードをスムーズにスライドさせて案内できるように形成されている。
【００１４】
本発明のカードコネクタ１は、カード挿入口１１からＩＣカードやＳＤカード等のカードを挿入した時の、カードの後ろ差しのような誤挿入を防止すると共に、挿入されたカードの浮き上がりを防止するための複数個の突起９ａ、９ｂ、９ｃ、９ｄ、９ｅ、９ｆと、挿入されたカードをスムーズに取り出すためのイジェクタ機構１０とが設けられている。
【００１５】
先ず、図示されるように、本発明のカードコネクタ１において、ベース部２は、適宜な合成樹脂材料などの絶縁材料によって成形して作られ、金属薄板材料の板金カバー３と組合せられて中空の偏平なハウジング形状に作られて、ＩＣカード等のカードが挿入されるように形成されている。また、このような絶縁材料のベース部２の一側に沿ってイジェクタ機構１０が設けられており、カードをカードコネクタ１からスムーズに取り出しできるようになっている。
【００１６】
例えば、イジェクタ機構１０は、ベース部２の一方の側壁部１３に形成された中空の細長い保持室内に滑動可能に装着された操作部材１６と、この操作部材１６を弾性附勢するコイルスプリングのようなばね１７と、操作部材１６をラッチするラッチ部材１８とを有しており、ラッチ部材１８の解除によって、ばね１７の蓄勢された弾性力によって操作部材１６を押圧してカードを押出すように構成されている。なお、イジェクタ機構１０の構成は、このような構成に限られるものではなく、他の同様な構成のものを適宜に用いることができることは勿論である。
【００１７】
また、本発明のカードコネクタ１の板金カバー３は、図示されるような形状に、例えばステンレス鋼板のような金属薄板材料から打抜き加工やプレス加工などによって作られたカバー本体４から成り、前方側にカード挿入口１１が形成され、左右両側が折り曲げられて側壁６、６が設けられていて、これら側壁６、６の縁辺と、板金カバー３の後方端部に、板金カバー３のカバー本体４を形成する平面部分とほぼ直角な方向に、ピン状に突出する複数個の細長い端子部材７が延出するように設けられている。これらピン状の細長い端子部材７は、図示されるように十分な長さをもって延びており、絶縁材料のベース部２のモールド部分の最奥の端壁部１２や両側の側壁部１３の対応する大きさの孔部１４をそれぞれ通るように圧入される。従って、板金カバー３のピン状の細長い端子部材７は、ベース部２の孔部１４にぴったりと嵌合されるように圧入されるので、これによってベース部２と板金カバー３とがガタツキ無く一体的に作られ、ベース部２のモールド部分の端壁部１２や側壁部１３部分に何等の変形を生じるようなことがない。また、このような板金カバー３の細長い端子部材７とベース部２のモールド部分の孔部１４との取付けは、圧入でなくても、ガタの無い程度の関係の取付であれば十分である。
【００１８】
また、板金カバー３の後方側の端部に複数個のコンタクト５のための開口部１５が設けられていて、特に、図４に示されるように、開口部１５の側部に突起９ａ、９ｂ、９ｃ、９ｄ、９ｅ、９ｆが内側に向ってそれぞれ突出するように折り曲げて設けられている。なお、これら突起９ａ、９ｂ、９ｃ、９ｄが設けられる開口部１５の場所と、突起９ｅ、９ｆが設けられる開口部１５の位置は、いずれの場所や位置でも良く、適宜に選択して任意に決めることができるものである。
【００１９】
従って、ＩＣカードやＳＤカード等のカードは、カードコネクタ１の前方側に形成されたカード挿入口１１からカードコネクタ１内に挿入され、取り出し時には、イジェクタ機構１０のラッチ部材１８による操作部材１６のラッチを解除して、ばね１７によって操作部材１６を作動してカードを取り出しできるようになっている。
【００２０】
また、これらの突起９ａ〜９ｆは、カードコネクタ１の長手方向、すなわちカードの挿入方向、に対して平行な方向に沿ってそれぞれ折り曲げられているが、カードコネクタ１の横方向、すなわちカードの挿入方向と直交する方向に折り曲げても良く、上記の方向に限られることなく、いずれの方向にも折り曲げて形成できることは勿論である。また、これら突起９ａ、９ｂ、９ｃ、９ｄ、９ｅ、９ｆの数も、任意の数だけ必要に応じて設けることができるものであり、図示の数に何等限られるものでないことは勿論である。さらに、これら突起９ａ〜９ｆには、突起の端面や側面あるいは全体に、例えばアウトサート成形やインサート成形などの他の適宜な手段によって合成樹脂材料の絶縁材料が一体的に成形加工して設けることができ、必要に応じて適宜選択できるものである。
【００２１】
さらにまた、カードコネクタ１の後方側には複数個のコンタクト５が設けられており、カードコネクタ１内に挿入されたＩＣカードやＳＤカード等のカードのパッド部と接触して電気的に接続され、これらコンタクト５を介して電子機器のプリント配線ベース部（図示しない）と接続されるようになっている。
【００２２】
すなわち、図３に示されるように、コンタクト５は、先端部分にＩＣカードやＳＤカード等のパッド部と接触して接続される弾性変位可能に円弧状に彎曲した接触弾性条片部５ａが形成される共に、後端部分に電子機器や情報端末機器等のプリント配線ベース部と半田付けなどによって適宜に接続される端子部５ｂが設けられている。
【００２３】
このように構成された本発明のカードコネクタ１においては、ＩＣカードやＳＤカード等のカードとして例えば、二段厚型カードを用いることができ、このようなカードがカード挿入口１１からカードコネクタ２内に挿入される時に、正規の状態でカードが挿入された場合には、カードのパッド部がコンタクト５と正しく位置されて、コンタクト５の接触弾性条片部５ａがカードのパッド部の上に位置されて良好に接触されて接続される。
【００２４】
この場合に、コンタクト５の接触弾性条片部５ａは、カードの先端部分が差し込まれた時には、コンタクト５の接触弾性条片部５ａが図３において上方に押し上げられて弾性変形され、これに続いてカードのパッド部の上に適切な弾性接触圧力をもって当接されて良好に接続されるようになる。
【００２５】
これによって、カードは、パッド部からコンタクト５を介して電子機器のプリント配線ベース部と電気的に好適に接続されるようになる。また、突起９ａ〜９ｆは、カードのグランドパッド部分の位置、すなわちカードのパッド部の配線の無い部分の位置、に設けられるのが好適であり、板金カバー３の突起９ａ〜９ｆの高さを適宜な高さに確保することが出来る。すなわち、リバースタイプのカードコネクタ１において、カードを誤挿入した時に、板金カバー３から突出する突起９ａ〜９ｆによってカードが或る一定以上挿入できない構成を採っており、そのために或る一定の突起高さが必要となる。ただし、突起高さが高くなると、時には、カードのパッド部と接触してショートしてカードの回路上の損傷を招く恐れがあるので、突起９ａ〜９ｆの位置をカードのグランドパッド部分の位置に立てゝパッド部の配線部分を避けることによって、例えば板金カバー３の突起９ａ〜９ｆがカードのグランドパッド部分と接触してもグランドパッド部分であるためにカードに何等の損傷を与えることが無いようにすることが好適である。
【００２６】
また、もしも誤ってカードを後ろ向きで差込んでも、カードの後端部が、突起９ａ〜９ｆのいずれかに当たって阻止されるので、突起９ａ〜９ｆがストッパとして有効的に作用してカードの誤挿入を適切に防止することができる。
【００２７】
上述したように構成された本発明のカードコネクタ１によれば、ベース部２と、このベース部２に組合せられる板金カバー３とによって中空の偏平なハウジング形状に形成され、板金カバー３に内方に折り曲げて突出する突起９ａ〜９ｆを設けて成る誤挿入防止手段を設けることができるので、板金カバー３の一部を内方に折り曲げるだけで、突起９ａ〜９ｆを簡単に形成することができ、コンタクト５の接触弾性条片部５ａを座屈しないように保護すると共に、ショートの発生を無くし、かつカードの後ろ差しのような誤挿入を確実に防止することができる。さらに、本発明におけるカードコネクタ１が、絶縁材料のベース部２に、金属薄板材料で作られた板金カバー３を組合せて形成されることによって、カードコネクタ１自体の厚さを薄くして低背化を図り、かつ補強することができる。
【００２８】
このように構成された本発明のカードコネクタをプリント基板に取付けて用いる例が図６および図７に示されており、図６は、本発明のカードコネクタにプリント基板を装着する前の状態を示す斜視図で、図７は、図６に続いて本発明のカードコネクトにプリント基板を装着した状態を示す斜視図である。
【００２９】
図６および図７に示されるように、本発明のカードコネクタ１が装着されるプリント基板２０には、必要な回路構成に基づいて所要の位置に複数個の孔２１が設けられており、これらの孔２１に、本発明のカードコネクタ１の端子部材７がＤＩＰ端子として挿入される。このようにＤＩＰ端子として端子部材７はプリント基板２０を貫通するように装着されて、延出した先端部が半田付け、または錫−銅、錫−銀−銅などの鉛フリー材料などによって固着されるのが好適である。
【図面の簡単な説明】
【００３０】
【図１】本発明のカードコネクタを示す斜視図である。
【図２】図１の本発明のカードコネクタを反転して示す斜視図である。
【図３】図１の本発明のカードコネクタを、ベース部と板金カバーとを分解して示す斜視図である。
【図４】図３のベース部と板金カバーとに分解された本発明のカードコネクタを反転して示す斜視図である。
【図５】図３の本発明のカードコネクタのベース部と板金カバーとを組合せる際のコネクタ端子部分の部分斜視図である。
【図６】本発明のカードコネクタにプリント基板を装着する前の状態を示す斜視図である。
【図７】図６の本発明のカードコネクトにプリント基板を装着した状態を示す斜視図である。
【符号の説明】
【００３１】
１      カードコネクタ
２      ベース部
３      板金カバー
４      カバー本体
５      コンタクト
５ａ    接触弾性条片部
５ｂ    端子部
６      側壁
７      端子部材
８      案内溝
９ａ〜９ｆ    突起      
１０    イジェクタ機構
１１    カード挿入口
１２    端壁部
１３    側壁部
１４    孔部
１５    開口部
１６    操作部材
１７    ばね
１８    ラッチ部材
２０    プリント基板
２１    孔
【図１】
2005135928.tif 000003
【図２】
2005135928.tif 000004
【図３】
2005135928.tif 000005
【図４】
2005135928.tif 000006
【図５】
2005135928.tif 000007
【図６】
2005135928.tif 000008
【図７】
2005135928.tif 000009